(57)【特許請求の範囲】
【請求項１】
車両の後端部に設けられたラゲージルームとキャビンとを分離する分離パネルを有する車両の電池支持構造であって、上方が前記キャビンであり且つ下方が前記ラゲージルームである車両の前後方向の領域に於いて電池が前記分離パネルの上面に固定されており、前記分離パネルと共働して前記電池を覆い電池収容空間を郭定するカバーを有し、前記分離パネルは前記ラゲージルームの上端を郭定するアッパバックパネルであり、前記アッパバックパネルは後方領域と該後方領域よりも低い前方領域とを有し、前記電池は前記前方領域の上面に固定されており、前記カバーは前記ラゲージルームの前端を郭定するパーティションパネルの上縁部と前記アッパバックパネルの前記後方領域の前縁部とを接続していることを特徴とする車両の電池支持構造。
【請求項２】
前記カバー及び前記分離パネルの少なくとも一方は前記電池収容空間へアクセスするための孔を有することを特徴とする請求項１に記載の車両の電池支持構造。
【請求項３】
前記アッパバックパネルの前記前方領域の前縁部は前記パーティションパネルと接続されていることを特徴とする請求項１又は２に記載の車両の電池支持構造。
【請求項４】
前記パーティションパネルの上端の高さは前記アッパバックパネルの前記前方領域の高さと同一であり、前記アッパバックパネルの前記前方領域の前縁部は前記パーティションパネルの上縁部と接続されていることを特徴とする請求項１又は２に記載の車両の電池支持構造。
【請求項５】
前記パーティションパネルは前記アッパバックパネルの前記後方領域と同一の高さまで延在し、前記アッパバックパネルの前記前方領域の前縁部は前記パーティションパネルの上縁部よりも下方に接続されており、前記カバーは前記アッパバックパネルの前記後方領域を車両前方へ延長するよう延在していることを特徴とする請求項１又は２に記載の車両の電池支持構造。
【請求項６】
車両の後端部に設けられたラゲージルームとキャビンとを分離する分離パネルを有する車両の電池支持構造であって、上方が前記キャビンであり且つ下方が前記ラゲージルームである車両の前後方向の領域に於いて電池が前記分離パネルの上面に固定されており、前記分離パネルと共働して前記電池を覆い電池収容空間を郭定するカバーを有し、前記分離パネルは前記ラゲージルームの前端を郭定するパーティションパネルであり、前記パーティションパネルの上方部は車両の後方へ延在し上面に前記電池が固定される棚部を有し、前記棚部の高さは前記ラゲージルームの上端を郭定するアッパバックパネルの高さよりも低く、前記カバーは前記パーティションパネルの前記棚部より前方側の領域の上縁部とアッパバックパネルとを接続していることを特徴とする車両の電池支持構造。
【請求項７】
前記カバー及び前記パーティションパネルの少なくとも一方は前記電池収容空間へアクセスするための孔を有することを特徴とする請求項６に記載の車両の電池支持構造。
【請求項８】
前記アッパバックパネルの前縁部は前記電池よりも上方且つ後方側に位置し、前記パーティションパネルの前記棚部より後方の領域は上端にて前記アッパバックパネルの前縁部と接続されていることを特徴とする請求項６又は７に記載の車両の電池支持構造。
【請求項９】
前記アッパバックパネルの前縁部は前記電池よりも上方且つ前方側に位置し、前記カバーは前記パーティションパネルを上方へ延長するよう延在していることを特徴とする請求項６又は７に記載の車両の電池支持構造。
【請求項１０】
前記アッパバックパネルの前縁部は前記アッパバックパネルの主要部より下方に位置し、前記パーティションパネルの前記棚部の後端は前記アッパバックパネルの前縁部と接続されていることを特徴とする請求項６又は７に記載の車両の電池支持構造。
【発明の詳細な説明】
【技術分野】
【０００１】
本発明は、自動車等の車両の電池に係り、更に詳細には車両の電池の支持構造に係る。
【背景技術】
【０００２】
ハイブリッドシステムが搭載された自動車等の車両に於いては、二次電池を内蔵する電池パックが搭載されている。電池パックは冷却される必要があり、また遮音される必要があるので、車両の乗員への影響が低くなるよう車両の後方領域、例えば後部座席の背後に配置されることがある。
【０００３】
例えば後部座席の後方に位置するパーティションパネルより後方でアッパバックパネルの下方に形成されるラゲージルームに電池パックが配置される構造が既に知られている。特に下記の特許文献１には、電池パックがアッパバックパネルの下面に取付けられるよう構成された電池パックの支持構造が記載されている。この種の支持構造によれば、電池パックがロアバックパネルの上面に取付けられる構造の場合に比して、ラゲージルーム内に荷物のための広い利用可能空間を確保することができる。
【先行技術文献】
【特許文献】
【０００４】
【特許文献１】特開２００８−１９５０９０号公報
【発明の概要】
【０００５】
〔発明が解決しようとする課題〕
しかし上記公開公報に記載された従来の電池パックの支持構造に於いては、電池パックを後部座席の側からラゲージルーム内に装入しアッパバックパネルの下面に取付けることができない。そのため電池パックを開いたラゲージドアの側からラゲージルーム内に装入し、無理な姿勢でアッパバックパネルの下面に取付けなければならず、電池パック及びこれに接続されるハーネスや冷却ダクトの設置やメンテナンスの作業性が悪いという問題がある。
【０００６】
本発明は、電池パックが後部座席の背後、特にラゲージルーム内にてアッパバックパネルの下面に取付けられるよう構成された従来の支持構造に於ける上述の如き問題に鑑みてなされたものである。そして本発明の主要な課題は、ラゲージルーム内に荷物のための広い利用可能空間を確保することができるだけでなく、電池パック及び関連部品の設置やメンテナンスの作業性が改善された電池パックの支持構造を提供することである。
〔課題を解決するための手段及び発明の効果〕
【０００７】
上述の主要な課題は、本発明によれば、車両の後端部に設けられたラゲージルームとキャビンとを分離する分離パネルを有する車両の電池支持構造であって、上方が前記キャビンであり且つ下方が前記ラゲージルームである車両の前後方向の領域に於いて電池が前記分離パネルの上面に固定されており、前記分離パネルと共働して前記電池を覆い電池収容空間を郭定するカバーを有し、前記分離パネルは前記ラゲージルームの上端を郭定するアッパバックパネルであり、前記アッパバックパネルは後方領域と該後方領域よりも低い前方領域とを有し、前記電池は前記前方領域の上面に固定されており、前記カバーは前記ラゲージルームの前端を郭定するパーティションパネルの上縁部と前記アッパバックパネルの前記後方領域の前縁部とを接続していることを特徴とする車両の電池支持構造によって達成される。
【０００８】
上記の構成によれば、電池は上方がキャビンであり且つ下方がラゲージルームである車両の前後方向の領域に於いて分離パネルの上面に固定される。従ってキャビンの側より電池及び関連部品の設置やメンテナンスを行うことができる。また電池がラゲージルームの床の上に固定される訳ではないので、ラゲージルーム内に荷物のための広い利用可能空間を確保することができる。
また上記の構成によれば、分離パネルと共働して電池を覆い電池収容空間を郭定するカバーを有するので、カバーが設けられていない場合に比して騒音や電磁波等による車両の乗員への影響を低減することができる。
更に上記の構成によれば、アッパバックパネルは後方領域と該後方領域よりも低い前方領域とを有し、電池は前方領域の上面に固定されている。従って例えば電池が平板状のアッパバックパネルの上面に固定される構造の場合に比して電池収容空間を郭定する部材がキャビンに過剰に突出しキャビンの空間を低減することを回避することができる。
【０００９】
また本発明によれば、前記カバー及び前記分離パネルの少なくとも一方は前記電池収容空間へアクセスするための孔を有するよう構成される。
【００１０】
上記の構成によれば、カバー及び分離パネルの少なくとも一方には電池収容空間へアクセスするための孔が設けられているので、カバーを取り外したりすることなくキャビンの側より電池及び関連部品の設置やメンテナンスを行うことができる。
【００１３】
また本発明によれば、前記アッパバックパネルの前記前方領域の前縁部は前記パーティションパネルと接続されているよう構成される。
【００１４】
上記の構成によれば、アッパバックパネルの前方領域の前縁部はパーティションパネルと接続されている。従ってアッパバックパネルの前方領域が受ける電池の荷重をパーティションパネルにも担持させることができる。
【００１５】
また本発明によれば、前記パーティションパネルの上端の高さは前記アッパバックパネルの前記前方領域の高さと同一であり、前記アッパバックパネルの前記前方領域の前縁部は前記パーティションパネルの上縁部と接続されているよう構成される。
【００１６】
上記の構成によれば、パーティションパネルを要することなくアッパバックパネル及びカバーにて電池収容空間を郭定することができると共に、車両の横方向に見て例えば閉じた多角形をなす電池収容空間を郭定することができる。
【００１７】
また本発明によれば、前記パーティションパネルは前記アッパバックパネルの前記後方領域と同一の高さまで延在し、前記アッパバックパネルの前記前方領域の前縁部は前記パーティションパネルの上縁部よりも下方に接続されており、前記カバーは前記アッパバックパネルの前記後方領域を車両前方へ延長するよう延在しているよう構成される。
【００１８】
上記の構成によれば、アッパバックパネル、パーティションパネル及びカバーにて電池収容空間を郭定することができると共に、車両の横方向に見て例えば閉じた多角形をなす電池収容空間を郭定することができる。またアッパバックパネル及びパーティションパネルが接続される部分以外の部分にカバーを取り付けることができる。
【００１９】
また上述の主要な課題は、本発明によれば、車両の後端部に設けられたラゲージルームとキャビンとを分離する分離パネルを有する車両の電池支持構造であって、上方が前記キャビンであり且つ下方が前記ラゲージルームである車両の前後方向の領域に於いて電池が前記分離パネルの上面に固定されており、前記分離パネルと共働して前記電池を覆い電池収容空間を郭定するカバーを有し、前記分離パネルは前記ラゲージルームの前端を郭定するパーティションパネルであり、前記パーティションパネルの上方部は車両の後方へ延在し上面に前記電池が固定される棚部を有し、前記棚部の高さは前記ラゲージルームの上端を郭定するアッパバックパネルの高さよりも低く、前記カバーは前記パーティションパネルの前記棚部より前方側の領域の上縁部とアッパバックパネルとを接続していることを特徴とする車両の電池支持構造によって達成される。
【００２０】
上記の構成によれば、電池は上方がキャビンであり且つ下方がラゲージルームである車両の前後方向の領域に於いて分離パネルの上面に固定される。従ってキャビンの側より電池及び関連部品の設置やメンテナンスを行うことができる。また電池がラゲージルームの床の上に固定される訳ではないので、ラゲージルーム内に荷物のための広い利用可能空間を確保することができる。
また上記の構成によれば、分離パネルと共働して電池を覆い電池収容空間を郭定するカバーを有するので、カバーが設けられていない場合に比して騒音や電磁波等による車両の乗員への影響を低減することができる。
更に上記の構成によれば、上面に電池が固定される棚部の高さはアッパバックパネルの高さよりも低い。従って棚部の高さがアッパバックパネルの高さ以上である場合に比して電池収容空間を郭定する部材がキャビンに過剰に突出しキャビンの空間を低減することを回避することができる。また棚部が電池より受ける荷重をアッパバックパネルにも担持させることができる。
また本発明によれば、前記カバー及び前記パーティションパネルの少なくとも一方は前記電池収容空間へアクセスするための孔を有するよう構成される。
上記の構成によれば、カバー及びパーティションパネルの少なくとも一方には電池収容空間へアクセスするための孔が設けられているので、カバーを取り外したりすることなくキャビンの側より電池及び関連部品の設置やメンテナンスを行うことができる。
【００２１】
また本発明によれば、前記アッパバックパネルの前縁部は前記電池よりも上方且つ後方側に位置し、前記パーティションパネルの前記棚部より後方の領域は上端にて前記アッパバックパネルの前縁部と接続されているよう構成される。
【００２２】
上記の構成によれば、アッパバックパネルを要することなくパーティションパネル及びカバーにて電池収容空間を郭定することができると共に、車両の横方向に見て例えば閉じた多角形をなす電池収容空間を郭定することができる。
【００２３】
また本発明によれば、前記アッパバックパネルの前縁部は前記電池よりも上方且つ前方側に位置し、前記カバーは前記パーティションパネルを上方へ延長するよう延在しているよう構成される。
【００２４】
上記の構成によれば、カバーを例えば単純な平板状の部材にすることができると共に、アッパバックパネル及びパーティションパネルが接続される部分以外の部分にカバーを取り付けることができる。またアッパバックパネル、パーティションパネル及びカバーにて電池収容空間を郭定することができると共に、車両の横方向に見て例えば閉じた多角形をなす電池収容空間を郭定することができる。
【００２５】
また本発明によれば、前記アッパバックパネルの前縁部は前記アッパバックパネルの主要部より下方に位置し、前記パーティションパネルの前記棚部の後端は前記アッパバックパネルの前縁部と接続されているよう構成される。
【００２６】
上記の構成によれば、アッパバックパネル、パーティションパネル及びカバーにて電池収容空間を郭定することができると共に、車両の横方向に見て例えば閉じた多角形をなす電池収容空間を郭定することができる。またアッパバックパネル及びパーティションパネルが接続される部分以外の部分にカバーを取り付けることができる。
〔課題解決手段の好ましい態様〕
【００２７】
本発明の一つの好ましい態様によれば、カバーの上面はアッパバックパネルと実質的に同一の平面をなすよう構成される（好ましい態様１）。
【００２８】
本発明の他の一つの好ましい態様によれば、カバーは電池収容空間の少なくとも前端を郭定し、アクセス孔はカバーのうち電池収容空間の前端を郭定する領域に設けられているよう構成される（好ましい態様２）。
【００２９】
本発明の他の一つの好ましい態様によれば、パーティションパネルは電池収容空間の少なくとも前端を郭定し、アクセス孔はパーティションパネルのうち電池収容空間の前端を郭定する領域に設けられているよう構成される（好ましい態様３）。
【図面の簡単な説明】
【００３０】
【図１】ハイブリッドシステムの電池パックの支持に適用された本発明による車両の電池支持構造の第一の実施形態を示す車両の横方向より見た縦断面図である。
【図２】図１に示された第一の実施形態の斜視図である。
【図３】ハイブリッドシステムの電池パックの支持に適用された本発明による車両の電池支持構造の第二の実施形態を示す車両の横方向より見た縦断面図である。
【図４】ハイブリッドシステムの電池パックの支持に適用された本発明による車両の電池支持構造の第三の実施形態を示す車両の横方向より見た縦断面図である。
【図５】ハイブリッドシステムの電池パックの支持に適用された本発明による車両の電池支持構造の第四の実施形態を示す車両の横方向より見た縦断面図である。
【図６】第一及び第三の実施形態の修正例として構成された本発明による車両の電池支持構造の第五の実施形態を示す車両の横方向より見た縦断面図である。
【発明を実施するための形態】
【００３１】
以下に添付の図を参照しつつ、本発明を幾つかの好ましい実施形態について詳細に説明する。
［第一の実施形態］
【００３２】
図１はハイブリッドシステムの電池パックの支持に適用された本発明による車両の電池支持構造の第一の実施形態を示す車両の横方向より見た縦断面図、図２は図１に示された第一の実施形態の斜視図である。
【００３３】
これらの図に於いて、１０は車両１２の電池支持構造を全体的に示しており、電池支持構造１０は後部座席１４の後方に設定されている。後部座席１４の後方にはラゲージルーム１６が設けられており、ラゲージルーム１６の上下はそれぞれアッパバックパネル１８及びロアバックパネル２０により郭定されている。アッパバックパネル１８はラゲージルーム１６とその上方のキャビン２２とを分離する分離パネルとして機能する。またラゲージルーム１６の前方はパーティションパネル２４により郭定されており、パーティションパネル２４はラゲージルーム１６とその前方のキャビン２２とを分離する分離パネルとして機能する。ラゲージルーム１６の左右及び後方は車両のボデー２６及びラゲージドア２８により郭定されている。
【００３４】
第一の実施形態に於いては、アッパバックパネル１８は後方領域１８Ｒと該後方領域よりも低い前方領域１８Ｆとを有し、後方領域１８Ｒ及び前方領域１８Ｆは傾斜壁部１８Ｍにより一体に接続されている。前方領域１８Ｆ及び傾斜壁部１８Ｍの車両の横方向の側縁にはそれぞれブラケット１８ＦＢ及び１８ＭＢが設けられており、これらのブラケットはスポット溶接等の固定的連結手段により車両のボデー２６の側面部に固定されている。
【００３５】
前方領域１８Ｆの前縁部はパーティションパネル２４に沿って延在し、パーティションパネル２４の上縁部にスポット溶接等の固定的連結手段により一体的に接続されている。また前方領域１８Ｆの上面にはハイブリッドシステムの電池パック３０がボルトの如き取外し可能な固定手段により固定されている。従って電池パック３０は上方がキャビン２２であり且つ下方がラゲージルーム１６である車両の前後方向の領域に於いてアッパバックパネル１８の上面に固定されている。電池パック３０は箱形のケーシング３２の内部に図には示されていない電池モジュール及び電子機器を収容している。
【００３６】
尚電池パック３０の上端がアッパバックパネル１８の後方領域１８Ｒよりも低くなるよう、前方領域１８Ｆと後方領域１８Ｒとの間の高さの差は電池パック３０の高さよりも大きい値に設定されている。このことは後述の第二の実施形態に於いても同様である。
【００３７】
電池パック３０の上方及び前方にはカバーパネル３４が配置されており、カバーパネル３４は電池パック３０を覆っている。カバーパネル３４はパーティションパネル２４に沿って延在する前側平面部３４Ｆとアッパバックパネル１８の後方領域１８Ｒに沿って延在する後側平面部３４Ｒとを有する実質的に断面Ｌ形をなす板部材である。前側平面部３４Ｆの下縁部及び後側平面部３４Ｒの後縁部はビスの如き取り外し可能な連結手段によりそれぞれパーティションパネル２４の上縁部及びアッパバックパネル１８の後方領域１８Ｒの前縁部に実質的に一平面をなすよう接続されている。
【００３８】
図２に示されている如く、カバーパネル３４の前側平面部３４Ｆの車両の横方向の端部近傍にはアクセス孔３６が設けられている。アッパバックパネル１８及びカバーパネル３４は車両の横方向に見て閉じた矩形をなし電池パック３０を収容する電池パック収容空間３８を郭定しており、電池パック収容空間３８は車両の横方向の端部に於いて車両のボデー２６の側面部により実質的に閉じられている。しかしアクセス孔３６がカバーパネル３４の前側平面部３４Ｆに設けられているので、アクセス孔３６を経て電池パック収容空間３８にアクセスすることが可能である。尚アクセス孔３６は必要に応じて例えば樹脂製の蓋にて塞がれてよい。
［第二の実施形態］
【００３９】
図３はハイブリッドシステムの電池パックの支持に適用された本発明による車両の電池支持構造の第二の実施形態を示す車両の横方向より見た縦断面図である。尚図３に於いて図１及び図２に示された部材と同一の部材には図１及び図２に於いて付された符号と同一の符号が付されている。このことは後述の他の実施形態についても同様である。
【００４０】
この第二の実施形態に於いては、アッパバックパネル１８は第一の実施形態の場合と同様の構成を有しているが、パーティションパネル２４はアッパバックパネル１８の後方領域１８Ｒと実質的に同一の高さまで上方へ延在している。従ってアッパバックパネル１８の前方領域１８Ｆの前縁部はパーティションパネル２４の上縁部に接続されるのではなく、パーティションパネル２４の上縁部と下縁部との間の部分にスポット溶接等の固定的連結手段により一体的に接続されている。
【００４１】
またカバーパネル３４はアッパバックパネル１８の後方領域１８Ｒと実質的に同一の平面をなすよう平板状に延在している。カバーパネル３４の前縁部はパーティションパネル２４に沿って延在するよう下方へ屈曲され、パーティションパネル２４の上縁部にビスの如き取り外し可能な連結手段により接続されている。カバーパネル３４の後縁部はアッパバックパネル１８の後方領域１８Ｒの前縁部にオーバーラップし、ビスの如き取り外し可能な連結手段によりこれに接続されている。また図３には示されていないが、アクセス孔３６はカバーパネル３４には設けられておらず、アクセス孔３６に対応するアクセス孔がパーティションパネル２４の上方部分の車両の横方向の端部近傍に設けられている。
【００４２】
従って第二の実施形態に於いては、車両の横方向に見て閉じた矩形をなし電池パック３０を収容する電池パック収容空間３８はアッパバックパネル１８、パーティションパネル２４、カバーパネル３４により郭定されている。またパーティションパネル２４の上方部分は電池パック３０を覆うカバーの一部として第一の実施形態のカバーパネル３４の前側平面部３４Ｆと同様に機能する。
［第三の実施形態］
【００４３】
図４はハイブリッドシステムの電池パックの支持に適用された本発明による車両の電池支持構造の第三の実施形態を示す車両の横方向より見た縦断面図である。
【００４４】
この第三の実施形態に於いては、アッパバックパネル１８は段差部を有しておらず、電池パック３０よりも車両の後方側の領域に於いて実質的に水平に平板状に延在している。パーティションパネル２４の上方部分は車両の後方へ延在する棚部２４Ａと、棚部２４Ａより上方且つ後方へ延在する傾斜壁部２４Ｂとを有し、棚部２４Ａの上面に電池パック３０がボルトの如き取外し可能な固定手段により固定されている。傾斜壁部２４Ｂの上縁部はアッパバックパネル１８に沿って延在するよう屈曲され、アッパバックパネル１８の前縁部の下面又は上面にスポット溶接等の固定的連結手段により固定的に連結されている。
【００４５】
カバーパネル３４は第一の実施形態の場合と同様の構成を有し、パーティションパネル２４に沿って延在する前側平面部３４Ｆとアッパバックパネル１８に沿って延在する後側平面部３４Ｒとを有する実質的に断面Ｌ形をなす板部材である。前側平面部３４Ｆの下縁部及び後側平面部３４Ｒの後縁部はビスの如き取り外し可能な連結手段によりそれぞれパーティションパネル２４の下方部の上縁部及びアッパバックパネル１８の前縁部に実質的に一平面をなすよう接続されている。また図には示されていないが、アクセス孔３６は第一の実施形態の場合と同様にカバーパネル３４の前側平面部３４Ｆに設けられている。
【００４６】
従って第三の実施形態に於いては、車両の横方向に見て閉じた矩形をなし電池パック３０を収容する電池パック収容空間３８はパーティションパネル２４の上方部分及びカバーパネル３４により郭定されている。またパーティションパネル２４の棚部２４Ａ及び傾斜壁部２４Ｂがそれぞれ第一の実施形態に於けるアッパバックパネル１８の前方領域１８Ｆ及び傾斜壁部１８Ｍと同様に機能する。よって棚部２４Ａとアッパバックパネル１８との高さの差は電池パック３０の高さよりも大きい値に設定されている。このことは後述の第四の実施形態に於いても同様である。
［第四の実施形態］
【００４７】
図５はハイブリッドシステムの電池パックの支持に適用された本発明による車両の電池支持構造の第四の実施形態を示す車両の横方向より見た縦断面図である。
【００４８】
この第四の実施形態に於いては、アッパバックパネル１８は段差部を有しておらず、電池パック３０よりも車両の前方側且つ上方まで実質的に水平に平板状に延在している。またパーティションパネル２４は上述の第三の実施形態の場合と同様に構成され、棚部２４Ａと傾斜壁部２４Ｂとを有し、棚部２４Ａの上面に電池パック３０が固定されている。傾斜壁部２４Ｂの上縁部はアッパバックパネル１８に沿って延在するよう屈曲され、アッパバックパネル１８の前縁部よりも車両の後方側にてアッパバックパネル１８の下面にスポット溶接等の固定的連結手段により固定的に連結されている。
【００４９】
カバーパネル３４はパーティションパネル２４に沿ってこれを上方へ延長するよう延在する平板状の板部材である。カバーパネル３４の下縁部及び上縁部はビスの如き取り外し可能な連結手段によりそれぞれパーティションパネル２４の下方部の上縁部及びアッパバックパネル１８の前縁部に設けられパーティションパネル２４に沿って延在するブラケットに接続されている。また図には示されていないが、アクセス孔３６はカバーパネル３４の車両の横方向の端部近傍に設けられている。
【００５０】
従って第四の実施形態に於いては、車両の横方向に見て閉じた矩形をなし電池パック３０を収容する電池パック収容空間３８はアッパバックパネル１８の前方部分、パーティションパネル２４の上方部分及びカバーパネル３４により郭定されている。またこの第四の実施形態に於いてもパーティションパネル２４の棚部２４Ａ及び傾斜壁部２４Ｂがそれぞれ第一の実施形態に於けるアッパバックパネル１８の前方領域１８Ｆ及び傾斜壁部１８Ｍと同様に機能する。
［第五の実施形態］
【００５１】
図６は第一及び第三の実施形態の修正例として構成された本発明による車両の電池支持構造の第五の実施形態を示す車両の横方向より見た縦断面図である。
【００５２】
この第五の実施形態に於いては、アッパバックパネル１８は第一の実施形態の場合と同様に傾斜壁部１８Ｍを有しているが、前方領域１８Ｆを有してはいない。またパーティションパネル２４は第三の実施形態の場合と同様に棚部２４Ａを有しているが、傾斜壁部２４Ｂを有してはいない。傾斜壁部１８Ｍの下縁部及び棚部２４Ａの後縁部はスポット溶接等の固定的連結手段により固定的に連結されている。この実施形態の他の点は第一及び第三の実施形態の場合と同様に構成されている。
【００５３】
尚第五の実施形態に於いては、アッパバックパネル１８及びパーティションパネル２４は傾斜壁部１８Ｍの下縁部及び棚部２４Ａの後縁部にて互いに連結されている。しかしアッパバックパネル１８及びパーティションパネル２４は傾斜第一の実施形態の前方領域１８Ｆ又は傾斜壁部１８Ｍの領域に於いて互いに連結されていてもよい。
【００５４】
以上の説明より解る如く、上述の各実施形態によれば、電池パック３０は上方がキャビン２２であり下方がラゲージルーム１６である車両の前後方向の領域に於いて分離パネルとしてのアッパバックパネル１８又はパーティションパネル２４の上面に固定される。また電池パック３０を覆うカバーパネル３４が取外し可能にアッパバックパネル１８及びパーティションパネル２４に固定される。
【００５５】
よってカバーパネル３４を取外すことによりキャビン２２の側より電池パック３０及び関連部品の設置やメンテナンスを行うことができる。従ってラゲージルーム１６の側からしか電池支持構造にアクセスできない場合に比して遥かに容易に且つ能率よく電池パック３０及び関連部品の設置やメンテナンスを行うことができる。また電池パック３０がラゲージルーム１６の床の上に固定される訳ではないので、ラゲージルーム１６内に荷物のための広い利用可能空間を確保することができる。
【００５６】
また上述の各実施形態によれば、カバーパネル３４はアッパバックパネル１８若しくはパーティションパネル２４と共働して車両の横方向に見て閉じた矩形をなす電池パック収容空間３８を郭定している。そして電池パック収容空間３８は車両の横方向の端部に於いて車両のボデー２６の側面部により実質的に閉じられている。従ってカバーパネル３４が設けられていない場合や電池パック収容空間３８が車両の横方向に見て閉じた矩形をなしていない場合に比して電池パック３０等が存在することに起因する騒音や電磁波等が車両の乗員に及ぼす影響を確実に低減することができる。
【００５７】
また上述の各実施形態によれば、カバーパネル３４又はパーティションパネル２４に電池パック収容空間３８へアクセスするためのアクセス孔３６が設けられている。従ってカバーパネル３４を取外すことなくキャビン２２の側よりアクセス孔３６を経て電池パック収容空間３８へアクセスすることができ、これにより電池パック３０の関連部品の設置やメンテナンスを容易に且つ能率よく行うことができる。
【００５８】
また上述の各実施形態によれば、電池パック収容空間３８の上方部分を郭定するパネルはアッパバックパネル１８の車両の後方側の部分と実質的に同一の平面をなすよう延在している。従って電池パック収容空間３８が設けられることに起因して後部座席の後方のアッパバックパネルの領域に不必要な段差が存在しない。
【００５９】
また上述の各実施形態によれば、電池パック収容空間３８へアクセスするためのアクセス孔３６はラゲージルーム１６とその前方のキャビン２２とを分離する分離パネルに設けられている。従ってアクセス孔３６がラゲージルーム１６とその上方のキャビン２２とを分離する分離パネルに設けられている場合に比して、電池パック収容空間３８へ埃などが侵入する虞れを低減することができる。
【００６０】
また上述の第一及び第二の実施形態に於いては、アッパバックパネル１８の前方領域１８Ｆと後方領域１８Ｒとの間の高さの差は電池パック３０の高さよりも大きい値に設定されている。同様に上述の第三乃至第五の実施形態に於いては、パーティションパネル２４の棚部２４Ａとアッパバックパネル１８との高さの差は電池パック３０の高さよりも大きい値に設定されている。従って電池収容空間３８を郭定する部材がキャビン２２に過剰に突出しキャビンの空間を低減することを回避することができる。
【００６１】
また上述の第一及び第二の実施形態に於いては、アッパバックパネル１８の前方領域１８Ｆの前縁部はパーティションパネル２４と接続されている。よってアッパバックパネル１８の前方領域１８Ｆが受ける電池パック３０及び関連部品の荷重をパーティションパネル２４にも担持させることができる。従ってアッパバックパネル１８の前方領域１８Ｆの前縁部がパーティションパネル２４と接続されていない場合に比して電池パック３０等に対する支持強度や支持剛性を高くすることができる。
【００６２】
同様に上述の第三乃至第五の実施形態に於いては、パーティションパネル２４の棚部２４Ａより後方の領域又は棚部２４Ａの後端はアッパバックパネル１８と接続されている。よってパーティションパネル２４の棚部２４Ａが受ける電池パック３０及び関連部品の荷重をアッパバックパネル１８にも担持させることができる。従ってパーティションパネル２４の棚部２４Ａより後方の領域が上端にてアッパバックパネル１８と接続されていない場合に比して電池パック３０等に対する支持強度や支持剛性を高くすることができる。
【００６３】
特に上述の第一、第三、第五の実施形態によれば、カバーパネル３４を取外すことにより、車両の横方向に見て電池収容空間３８を車両の前方及び上方の二方向に開放することができる。よってそれぞれ電池収容空間３８を上方及び車両の前方の一方向にしか開放することができない上述の第二及び第四の実施形態の場合に比して、電池パック３０及びその関連部品の設置等を容易に且つ能率よく行うことができる。
【００６４】
また上述の第二、第四、第五の実施形態によれば、三つのパネルが重なり合う領域がないので、第一及び第三の実施形態の場合に比してパネル同士の固定的連結及び取外し可能な接続を容易に行うことができる。また第二及び第四の実施形態によれば、カバーパネル３４は実質的に平板状の部材であってよいので、第一、第三、第五の実施形態の場合に比してカバーパネル３４を単純なものにすることができる。
【００６５】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【００６６】
例えば上述の各実施形態に於いては、カバーパネル３４はアッパバックパネル１８若しくはパーティションパネル２４と共働して車両の横方向に見て閉じた矩形をなす電池パック収容空間３８を郭定している。しかし電池パック収容空間３８が車両の横方向に見て閉じた矩形をなしていなくてもよい。
【００６７】
また上述の第一及び第二の実施形態に於いては、電池パック収容空間３８を郭定するアッパバックパネル１８の前方領域１８Ｆ及び傾斜壁部１８Ｍは後方領域１８Ｒと一体に形成されている。しかし前方領域１８Ｆ及び傾斜壁部１８Ｍに対応するパネルが後方領域１８Ｒに対応するパネルとは別の部材として形成され、それらが例えばスポット溶接等の固定的連結手段により一体的に連結されてもよい。
【００６８】
同様に上述の第三及び第四の実施形態に於いては、電池パック収容空間３８を郭定するパーティションパネル２４の棚部２４Ａ及び傾斜壁部２４Ｂはパーティションパネル２４の下方部と一体に形成されている。しかし棚部２４Ａ及び傾斜壁部２４Ｂに対応するパネルがパーティションパネル２４の下方部に対応するパネルとは別の部材として形成され、それらが例えばスポット溶接等の固定的連結手段により一体的に連結されてもよい。
【００６９】
また上述の各実施形態に於いては、アクセス孔３６は電池パック収容空間３８の前側の境界を郭定するカバーパネル３４又はパーティションパネル２４に設けられている。しかしアクセス孔は電池パック収容空間３８の上側の境界を郭定するパネルに設けられてもよく、また電池パック収容空間３８の前側の境界を郭定するパネル及び電池パック収容空間３８の上側の境界を郭定するパネルの両方に設けられてもよい。
【００７０】
また上述の各実施形態に於いては、電池パック収容空間３８の上側の境界はアッパバックパネル１８と実質的に同一の平面をなしているが、境界の少なくとも一部がアッパバックパネル１８の平面に対し上側又は下側に位置していてもよい。電池パック収容空間３８は車両の横方向に見て閉じた矩形をなしているが、任意の多角形又は他の形状をなしていてもよい。
【００７１】
また上述の各実施形態に於いては、アクセス孔３６は電池パック収容空間３８の前側の境界を郭定するカバーパネル３４又はパーティションパネル２４に二つ設けられている。しかしアクセス孔の数は任意の数であってよく、また各アクセス孔の大きさが相互に異なっていてもよい。
【００７２】
更に上述の各実施形態に於いては、電池はハイブリッドシステムの電池パックであるが、本発明の電池支持構造は電気自動車の蓄電池や燃料電池車の燃料電池の如く車両に於いて任意の電池を支持するための用途に適用されてよい。
【符号の説明】
【００７３】
１０…電池支持構造、１２…車両、１６…ラゲージルーム、１８…アッパバックパネル、２２…キャビン、２４…パーティションパネル、３０…電池パック、３４…カバー、３６…アクセス孔
【図１】
0005704343.tif 000002
【図２】
0005704343.tif 000003
【図３】
0005704343.tif 000004
【図４】
0005704343.tif 000005
【図５】
0005704343.tif 000006
【図６】
0005704343.tif 000007